(57)【特許請求の範囲】
【請求項１】
沸き上げ後の保温時間中、所定時間毎に追焚動作を行う自動風呂装置であって、
浴槽の湯張りを指令する湯張りスイッチと、
浴槽水の追焚きを指令する追焚スイッチと、
前記浴槽への注水又は注湯を検出するセンサと、
前記注水又は前記注湯の終了から追焚禁止時間を計時する追焚禁止タイマと、
湯張り完了から保温時間を計時する保温タイマと、
前記湯張りスイッチにより湯張り動作を実行し、湯張り完了から前記保温タイマが計時する前記保温時間中に保温動作をし、この保温動作中、前記センサが前記浴槽への注水又は注湯を検出したとき、前記追焚禁止タイマにより計時される前記追焚禁止時間中、保温のための追焚動作を禁止し、前記追焚スイッチの追焚き指令により前記浴槽水の追焚きを行う制御部と、
を備えたことを特徴とする自動風呂装置。
【請求項２】
前記追焚禁止タイマは、保温時間中に注水又は注湯から追焚禁止時間を計時し、この追焚禁止時間中、前記制御部が追焚動作を禁止することを特徴とする請求項１記載の自動風呂装置。
【発明の詳細な説明】
【０００１】
【発明の属する技術分野】
本発明は、沸き上げ後、保温動作によって浴槽水を設定温度に保持する自動風呂装置に関する。
【０００２】
【従来の技術】
自動風呂装置は、給湯及び追焚等によって浴槽中の湯水を設定温度に沸き上げた後、所定時間毎に追焚を実行することにより、保温時間中、浴槽水の温度を設定温度に維持している。
【０００３】
このような自動風呂装置では、浴槽水の温度が設定温度に維持されていることから、入浴者の注水により、浴槽水の温度が低下する場合がある。保温時間では、浴槽水の温度低下や所定時間の到来により、保温のための追焚動作が実行される結果、入浴者の注水が無駄となり、注水を余儀なくされるという不都合がある。従来、このような注水時の保温動作を禁止する技術として、実公平４−２６８３７号「自動風呂装置」等が提案されており、保温タイマのリセットによって浴槽水の再加熱を防止している。
【０００４】
【発明が解決しようとする課題】
このような保温タイマをリセットして注水又は注湯時の保温動作を停止させると、保温タイマに設定されている保温時間中の追焚間隔の時間等が問題となる。この時間を越えて入浴している場合には、保温のための追焚動作が開始されてしまう。入浴者はその追焚動作を停止させるか、再び注水をすることとなる。特に、浴槽中で水流マッサージを行っている場合には、追焚停止や再注水を行うことは不都合である。
【０００５】
そこで、本発明は、保温時間中に注水したとき、追焚再開による不都合を防止した自動風呂装置を提供することを課題とする。
【０００６】
【課題を解決するための手段】
本発明の自動風呂装置は、追焚禁止タイマ（５２）及び制御装置（４０）を備えて、保温のための追焚間隔（時間ｔ1 ）とは別に注水又は注湯から所定時間（ｔ2 ）だけ保温のための追焚動作を禁止し、追焚再開による不都合を防止したものである。
【０００７】
請求項１に係る本発明は、沸き上げ後の保温時間中、所定時間毎に追焚動作を行う自動風呂装置であって、浴槽の湯張りを指令する湯張りスイッチ（６８）と、浴槽水の追焚きを指令する追焚スイッチ（７０）と、前記浴槽への注水又は注湯を検出するセンサ（水量センサ２２）と、前記注水又は前記注湯の終了から追焚禁止時間を計時する追焚禁止タイマ（５２）と、湯張り完了から保温時間を計時する保温タイマ（保温時間タイマ４８）と、前記湯張りスイッチにより湯張り動作を実行し、湯張り完了から前記保温タイマが計時する前記保温時間中に保温動作をし、この保温動作中、前記センサが前記浴槽への注水又は注湯を検出したとき、前記追焚禁止タイマにより計時される前記追焚禁止時間中、保温のための追焚動作を禁止し、前記追焚スイッチの追焚き指令により前記浴槽水の追焚きを行う制御部（４２）とを備えたことを特徴とする。即ち、保温時間は一定時間であり、保温のための追焚動作は保温タイマ等によって設定される。そこで、注水又は注湯から所定時間を計時し、この所定時間中、保温のための追焚動作を禁止することにより、保温時間中の注水又は注湯に基づく追焚禁止時間を、保温のための追焚間隔より長く設定する等、入浴者の入浴時間に対応させて入浴者の便宜を図っている。
【０００８】
また、請求項２に係る本発明は、請求項１に係る発明において、前記追焚禁止タイマは、保温時間中に注水又は注湯から追焚禁止時間を計時し、この追焚禁止時間中、前記制御部が追焚動作を禁止することを特徴とする。即ち、保温のための追焚動作を禁止する時間の設定はタイマによって行うことができる。
【０００９】
【発明の実施の形態】
以下、本発明及びその実施の形態を図面に示した実施例を参照して詳細に説明する。
【００１０】
図１及び図２は本発明の自動風呂装置の実施例を示し、図１はその配管構成、図２はその制御装置を示している。この自動風呂装置には浴槽２に対して給湯を行うとともに、浴槽水ＢＷの追焚を行う手段として給湯・追焚装置４が設けられている。即ち、この給湯・追焚装置４には、給湯加熱装置６及び追焚加熱装置８が備えられ、給湯加熱装置６は給湯用熱交換器等で構成され、また、追焚加熱装置８は追焚用熱交換器等で構成されている。
【００１１】
給水管１０を通して供給される上水Ｗは給湯加熱装置６によって加熱され、温水ＨＷが出湯管１２を通して追焚用の循環路１４側に供給される。出湯管１２に得られる温水ＨＷは、図示しない管路を通じて一般給湯に供される。出湯管１２には温度センサ１６、注湯弁１８、縁切装置２０、水量センサ２２等が設けられ、出湯管１２は切換弁２３を介して循環路１４に連結されている。温度センサ１６は温水ＨＷの温度を検出し、注湯弁１８の開閉によって循環路１４側への温水ＨＷの供給、その停止が切り換えられる。縁切装置２０は、上水Ｗと浴槽水ＢＷ側とを分離する手段であって、ホッパー、バキュームブレーカ、逆止弁等が用いられる。水量センサ２２は、浴槽２への注湯量又は注水量を検出する。また、切換弁２３は、追焚循環か上水Ｗ側の給水又は給湯かを切り換える手段である。
【００１２】
また、給水管１０と出湯管１２との間にはバイパス管２４が設けられ、このバイパス管２４には注水弁２６が設けられている。即ち、バイパス管２４は加熱しない上水Ｗを循環路１４側に流し込む手段であって、注水弁２６の開閉により、その注水、注水停止を切り換えることができる。
【００１３】
追焚加熱装置８と浴槽２の循環具２８との間に設けられた循環路１４は、戻管３０と往管３２とで構成され、戻管３０側には温度センサ３４、循環ポンプ３６、流水スイッチ３８等が設けられている。温度センサ３４は循環ポンプ３６によって循環路１４を循環する浴槽水ＢＷの温度を検出する。循環ポンプ３６は、自動沸き上げ又は保温又は追焚において、浴槽水ＢＷを追焚加熱装置８に循環させ、浴槽２側に圧送する。また、流水スイッチ３８は、循環ポンプ３６を動作させたとき、流水の有無を検出する。
【００１４】
このような自動風呂装置において、浴槽２に対する自動沸き上げ動作、保温動作、追焚動作等の各種の制御を実行する手段として制御装置４０が設置され、この制御装置４０には、図２に示すように、マイクロコンピュータ等が用いられ、ＣＰＵ等からなる制御部４２が設けられている。また、制御装置４０には、記憶手段としてＲＯＭ４４、ＲＡＭ４６が設けられるとともに、保温時間タイマ４８、保温間隔タイマ５０、追焚禁止タイマ５２、注水弁２６を開閉駆動するための注水弁駆動回路５４、注湯弁１８を開閉駆動するための注湯弁駆動回路５６、切換弁２３を切換え駆動するための切換弁駆動回路５８、循環ポンプ３６を駆動するためのポンプ駆動回路６０、給湯加熱装置６のバーナに対する燃料ガスの供給や点火等を行う給湯加熱駆動回路６２、追焚加熱装置８のバーナに対する燃料ガスの供給や点火等を行う追焚加熱駆動回路６４等が設けられている。保温時間タイマ４８は、保温時間設定スイッチ６６で設定された保温時間を計時する手段であり、保温時間は、継続した時間として、例えば４時間が設定される。保温間隔タイマ５０は、保温時間において、保温のための追焚動作を実行するための時間間隔を計時し、例えば、１０分程度が設定される。追焚禁止タイマ５２は、保温時間中に注水又は注湯が行われたとき、保温のための追焚を禁止する時間を計時し、例えば、保温のための追焚間隔の時間以上の時間を設定する。例えば、１０分以上が設定される。
【００１５】
そして、湯張りスイッチ６８は、全自動スイッチであって、この操作によって浴槽２に対して設定水位まで注湯し、浴槽水ＢＷを追焚によって設定温度まで沸き上げるための指令を制御部４２に入力するスイッチである。この湯張りスイッチ６８による自動沸き上げ制御には、設定水位まで注湯して湯張りを完了する制御のものと、注湯後、追焚によって設定温度まで沸き上げる自動沸き上げを行う制御のものとがある。
【００１６】
追焚スイッチ７０は、浴槽２の浴槽水ＢＷを設定温度まで沸き上げるための指令を制御部４２に入力するスイッチである。この実施例では、保温時間中に注水又は注湯により追焚禁止時間が追焚禁止タイマ５２で設定されとき、この追焚スイッチ７０の操作で追焚禁止が解除され、追焚動作を実行するものである。
【００１７】
注水スイッチ７２は、その操作によって注水弁２６を開閉することができ、浴槽２への上水Ｗの注水はこの注水スイッチ７２の操作によって行われる。また、注湯スイッチ７４は、その操作によって注湯弁１８を開閉することができ、給湯加熱装置６からの温水ＨＷの浴槽２への注湯はこの注湯スイッチ７４の操作によって行われる。
【００１８】
そして、給湯温度設定スイッチ７６は給湯温度を設定し、追焚温度設定スイッチ７８は追焚温度を設定する。また、保温時間設定スイッチ６６は、保温のための追焚動作を行う時間を設定するスイッチであって、設定される時間は、例えば、１時間ないし６時間の任意の時間である。
【００１９】
この自動風呂装置の動作を図３及び図４のフローチャートを参照して説明する。図３及び図４のＡ、Ｂはフローチャート間の連結子である。ステップＳ１は湯張り制御の開始を表し、このステップＳ１では、注湯弁１８を開き、切換弁２３を切り換えて給湯加熱装置６から温水ＨＷを浴槽２に注湯し、浴槽２を設定水量とする。このとき、循環ポンプ３６を動作させて浴槽２の浴槽水ＢＷを循環させ、追焚加熱装置８で加熱し、浴槽水ＢＷを設定温度まで沸き上げる。ステップＳ２では、浴槽２に設定水量まで注湯したか、又は、設定温度まで沸き上げが完了したか否かを判定し、注湯ないし沸き上げが完了するまで湯張り制御を続行する。
【００２０】
湯張り制御が完了すると、ステップＳ３に移行し、保温制御動作に移行する。この保温制御は、予め設定した保温時間中に行われる。このとき、ステップＳ４では、保温時間タイマ４８をクリア状態とし、即ち、リセットするとともに、計時を開始し、例えば、４時間の保温時間を計時する。このとき、ステップＳ５では、追焚間隔の時間が設定される保温間隔タイマ５０をクリア状態とし、即ち、リセットして計時を開始する。
【００２１】
この保温時間中において、ステップＳ６では、注水スイッチ７２又は注湯スイッチ７４の操作が行われたか否か、即ち、注水（差し水）又は注湯（差し湯）に移行したか否かを判定する。注水又は注湯に移行したとき、ステップＳ７では、注水弁２６又は注湯弁１８を開いて浴槽２に所定量の注水又は注湯が行われる。このとき、ステップＳ８では、注水又は注湯を開始して所定量の注水又は注湯が行われたか否かを水量センサ２２の検出出力によって判定する。また、注水スイッチ７２又は注湯スイッチ７４の操作によって注水、注湯の停止命令が成されたか否かを判定する。そして、ステップＳ９では、注水弁２６又は注湯弁１８を閉じ、浴槽２への注水又は注湯を停止させる。
【００２２】
この注水又は注湯の終了時、ステップＳ１０では、注水又は注湯の終了と同時に追焚禁止タイマ５２をリセットし、計時を行う。そして、ステップＳ１１では、再び注水スイッチ７２又は注湯スイッチ７４の操作が行われたか否か、即ち、注水（差し水）又は注湯（差し湯）に移行したか否かを判定し、注水又は注湯の場合には、ステップＳ７に戻り、注水又は注湯を行う。
【００２３】
そして、ステップＳ１１で注水又は注湯を行わないと判定された場合には、ステップＳ１２に移行し、保温時間において、追焚禁止時間中に追焚スイッチ７０が操作されたか否かを判定する。追焚スイッチ７０が操作されたとき、追焚禁止タイマ５２の計時を停止するとともに、その計時時間をクリアし、追焚制御を開始させる。注水のため、浴槽水ＢＷの温度が低下したとき、追焚スイッチ７０により追焚禁止タイマ５２の計時を停止させて追焚動作に移行させ、浴槽２の湯温を昇温させることができる。
【００２４】
ステップＳ１３では、追焚禁止タイマ５２の計時中、追焚禁止タイマ５２が所定時間ｔ2 を計時したか否かを判定する。この場合、追焚禁止タイマ５２が計時を完了するまでステップＳ１１〜Ｓ１３の処理を持続し、追焚禁止から所定時間ｔ2 が経過したとき、ステップＳ１４へ移行する。
【００２５】
そして、ステップＳ１４では、保温間隔タイマ５０が所定時間ｔ1 （例えば１０分）を計時したか否かを判定する。所定時間ｔ1 が経過したとき、ステップＳ１５へ移行し、追焚動作に移行するために循環ポンプ３６を動作させる。ステップＳ１６では、ポンプ循環による流水の有無を流水スイッチ３８の出力によって確認した後、循環する浴槽水ＢＷの温度Ｔを温度センサ３４により検出する。ステップＳ１７では、検出温度Ｔが設定温度Ｔｓより低いか否かを判断し、設定温度Ｔｓより低い場合には、ステップＳ１８に移行して追焚加熱装置８を動作させて浴槽水ＢＷの加熱を行い、また、設定温度Ｔｓ以上であればステップＳ２１に移行して追焚動作をキャンセルする。
【００２６】
ステップＳ１９では、浴槽水ＢＷの検出温度Ｔが設定温度Ｔｓ以上か否かを判定し、設定温度Ｔｓ以上に昇温したとき、ステップＳ２０に移行して追焚加熱装置８の動作を停止させる。同時に、ステップＳ２１に移行し、循環ポンプ３６を停止させて追焚動作を終了する。
【００２７】
そして、ステップＳ２２では、保温時間（例えば４時間）を越えたか否かを判定し、保温時間を越えたときにはステップＳ２３に移行し、保温動作を完了し、また、保温時間を越えていないときにはステップＳ５に戻り、ステップＳ５〜Ｓ２２までの動作を実行し、保温動作を完了させる。
【００２８】
このように浴槽２の湯張りが完了すると、保温時間（例えば４時間）の間に所定の時間間隔（例えば１０分間隔）毎に浴槽水ＢＷを追焚により再加熱して設定温度まで回復させる動作を行い、保温動作において、注水又は注湯が行われたときには、追焚禁止タイマ５２の計時によって所定時間中、追焚動作を禁止する。この結果、注水又は注湯によって調整された湯温は入浴中、追焚によって変更されることがない。また、この追焚禁止時間において、追焚スイッチ７０が操作された場合には、追焚加熱装置８に通常の追焚動作をさせることができ、浴槽水ＢＷの温度を設定温度又は入浴者の所望の温度に昇温させることができる。
【００２９】
このような湯張り完了後の保温動作タイミングを図５を参照して説明すると、図５のＡは湯張り完了後の追焚時間（斜線部分）及び追焚間隔時間を示している。ここで、湯張り完了とは、注湯完了又は注湯後の追焚完了を示している。追焚が終了すると、図５のＢ、Ｃに示すように、保温間隔タイマ５０がクリアされ、計時が開始される。時間ｔ1 は、保温時間中の追焚間隔時間を表している。
【００３０】
そして、図６は、追焚間隔時間（時間ｔ1 ）中に注水又は注湯動作が行われたときの制御タイミングを表し、Ａは追焚動作、Ｂは保温間隔タイマ５０の計時動作、Ｃはそのクリア、計時開始、Ｄは注水又は注湯動作、Ｅは追焚禁止タイマ５２の計時、Ｆは追焚禁止タイマ５２のクリア及び計時開始を示している。注水スイッチ７２又は注湯スイッチ７４が操作されると、所定水量又は所定時間の注水又は注湯が行われる。注水又は注湯が完了すると、保温間隔タイマ５０は時間ｔ1 を越えても計時を継続する。追焚禁止タイマ５２が計時を完了した時点で保温間隔タイマ５０の計時も終了し、保温間隔タイマ５０の計時時間が時間ｔ1 を越えているとき、追焚動作が行われる。追焚が終了すると、保温間隔タイマ５０がリセットされて時間ｔ1 の計時を開始する。
【００３１】
また、図７は、追焚禁止タイマ５２による追焚禁止時間中に再度注水又は注湯が行われたときの制御動作を示し、図６と同様に、Ａは追焚動作、Ｂは保温間隔タイマ５０の計時動作、Ｃはそのクリア、計時開始、Ｄは注水又は注湯動作、Ｅは追焚禁止タイマ５２の計時、Ｆは追焚禁止タイマ５２のクリア及び計時開始を示している。即ち、二回目の注水又は注湯の動作終了とともに追焚禁止タイマ５２はリセットされた後、追焚禁止時間ｔ2 の再計時が行われる。
【００３２】
そして、図８は、保温間隔タイマ５０が時間ｔ1 を計時終了する直前に注水又は注湯動作が行われ、時間ｔ1 を越えた時点で注水又は注湯動作が終了したときの追焚禁止タイマ５２の動作状態を示している。なお、Ａは追焚動作、Ｂは保温間隔タイマ５０の計時動作、Ｃはそのクリア、計時開始、Ｄは注水又は注湯動作、Ｅは追焚禁止タイマ５２の計時、Ｆは追焚禁止タイマ５２のクリア及び計時開始を示している。
【００３３】
なお、実施例に示した給湯加熱装置６はガス燃焼によって熱交換器を加熱するもの、電気温水器、又はエンジン、燃料電池、ヒートポンプの廃熱を利用して加熱するものを含むものである。また、追焚加熱装置８は、ガス燃焼によって熱交換器を加熱するもの以外に、電気ヒータによる加熱、エンジン、燃料電池、ヒートポンプの廃熱を利用して加熱するものを含むものである。
【００３４】
【発明の効果】
以上説明したように、本発明によれば、次のような効果が得られる。
ａ  保温時間において、注水や注湯によって所望の温度を設定でき、入浴中に保温のための追焚動作が実行されることがない。入浴者が追焚を必要とする場合には追焚スイッチによって任意に行うことができ、所望の湯温にすることができる。
ｂ  保温のための追焚間隔に対して注水又は注湯に基づく追焚禁止時間をタイマによって入浴想定時間に基づいて設定でき、注水又は注湯後の入浴中に追焚が再開されることがない。
【図面の簡単な説明】
【図１】本発明の自動風呂装置の実施例を示す配管構成図である。
【図２】自動風呂装置に用いられる制御装置を示すブロック図である。
【図３】自動風呂装置の保温動作等を示すフローチャートである。
【図４】自動風呂装置の保温動作等を示すフローチャートである。
【図５】保温動作を示す図である。
【図６】注水又は注湯動作を伴う保温動作を示す図である。
【図７】追焚動作禁止時間中の注水又は注湯動作を伴う動作を示す図である。
【図８】注水又は注湯動作を伴う保温動作を示す図である。
【符号の説明】
２  浴槽
４０  制御装置（制御手段）
４２  制御部（制御手段）
５２  追焚禁止タイマ（制御手段）
【図１】
0003962543.tif 000002
【図２】
0003962543.tif 000003
【図３】
0003962543.tif 000004
【図４】
0003962543.tif 000005
【図５】
0003962543.tif 000006
【図６】
0003962543.tif 000007
【図７】
0003962543.tif 000008
【図８】
0003962543.tif 000009